(57)【特許請求の範囲】
【請求項１】
機器側に設けたバッテリーパック挿入孔に挿入・装着でき、且つバッテリーセルが収納されるバッテリーパックのバッテリーパック誤挿入防止装置であって、
該バッテリーパックは、形状・大きさの異なる複数種が存在して、それぞれが個々に前記バッテリーパック挿入孔に挿入・装着できるものであり、各バッテリーパックは、その一部に共通した係合部材が設けられ、前記バッテリーパック挿入孔には前記係合部材と雌雄の関係で係合するガイド部材を設けたバッテリーパック誤挿入防止装置において、
前記各バッテリーパックは直方体形状の上ケースと、下ケースとを有し、
前記上ケースの下部端の両側部には外側に突出させて所定幅の係合部材が設けられ、前記下ケースは開口した開口端部周囲が前記係合部材と位置合わせできる大きさに形成され、前記下ケースに上ケースを被せるとともに、前記係合部材を前記下ケースの開口端部に合わせ、合わせ目に超音波溶着して組み立てたことを特徴とするバッテリーパック誤挿入防止装置。
【請求項２】
機器側に設けたバッテリーパック挿入孔のガイド部材に雌雄の関係で係合する係合部材が設けられ、バッテリーセルが収納されるバッテリーパックにおいて、
前記バッテリーパックは直方体形状の上ケースと、下ケースとを有し、
前記上ケースの下端部の両側部には外側に突出させて所定幅の係合部材が設けられ、前記下ケースは開口した開口端部周囲が前記係合部材と位置合わせできる大きさに形成され、
前記下ケースに上ケースを被せるとともに、前記係合部材を前記下ケースの開口端部に合わせ、合わせ目に超音波溶着して組み立てることを特徴とするバッテリーパック。
【発明の詳細な説明】
【０００１】
【発明の属する技術分野】
本発明は、バッテリーパック誤挿入防止装置及びバッテリーパックに関する。更に詳しくは、形状・大きさの異なる複数種のバッテリーパックの誤挿入防止構造を統一化すると共に組み立て工程を簡素化したバッテリーパック誤挿入防止装置及びバッテリーパックに関するものである。
【０００２】
【従来の技術】
従来技術におけるビデオカメラ等の電子機器１０に装着自在なバッテリーパック１１、１２は、図３に示すように、充電可能なリチウムイオンバッテリーを単位セル１３として複数本内蔵したものが周知である。又、このバッテリーパック１１、１２を装着するバッテリーパック挿入孔１４は、電子機器１０の一部に設けられ、バッテリーパック１２の一部に設けてある係合部材１５（凹部）と係合するガイド部材１６（凸部）を設けた構造となっている。
【０００３】
バッテリーパックは、通常の電子機器の駆動操作に耐えることができる充放電時間を確保した２本のセル１３（バッテリー）を搭載したバッテリーパック１１と、電子機器の長時間の駆動操作に耐えることができる充放電時間を確保した４本のセル１３を搭載したバッテリーパック１２の２種類が存在する。
【０００４】
通常時間の使用に耐えるバッテリーパック１１は、２本のセル１３を収納できる大きさからなる直方体形状の上ケース１７と下ケース１８とから構成されている。
【０００５】
この上ケース１７の頂面には、長手方向の片側中央位置に所定幅の逆挿入プロテクト溝１９を設けた構造となっている。
【０００６】
このような構成からなるバッテリーパック１１は、バッテリーパック挿入孔１４に挿入して装着する際に、上ケース１７の上部両端部がガイド部材１６の下部端部に当接してガイドされ挿入装着される。
【０００７】
長時間の使用に耐えるバッテリーパック１２は、図３及び図４に示すように、挿入間口がバッテリーパック挿入孔１４の大きさに形成され、４本のセル１３を収納できる空間を有する直方体形状を構成する上ケース２０と中間ケース２１と下ケース２２とから構成されている。
【０００８】
上ケース２０と下ケース２２は上述したバッテリーパック１１と同様の形状をしており、下ケース２２の内部であって長手方向に沿った中間位置には帯状に突出したセル位置決め部２３（図４参照）を設けた構造となっている。
【０００９】
中間ケース２１は、上下を開口とした枠体に形成され、その長手方向の内側側壁面であって長手方向の中間位置には片側端部から奥に入った所定長さＬの位置から他方の端部まで線状に窪んだ台形形状の係合部材（凹部）１５を設けた構造となっている。この係合部材（凹部）１５は、他の側壁面と同じ肉厚に形成されているため、凹部１５を設けた部位の内側側壁部分は凹状と同じ形状の線状の突出部２４を形成した構造となる。
【００１０】
このような構造からなるバッテリーパック１２を組み立てるには、先ず下ケース２２に２本のセル１３を載せ、次に中間ケース２１を載せる。そして中間ケース２１の中に更に２本のセル１３を載せ、上ケース２０を被せて溶着すればバッテリーパック１２が完成する、尚、電子機器に接続するための端子等は省略してある。
【００１１】
一方、バッテリーパック挿入孔１４は、図３に示すように、長時間の使用に耐えるバッテリーパック１２を収納する大きさに形成されており、左右の側壁面の中間位置であって奥方向に向かって帯状に突出したガイド部材（凸部）１６を設けた構造となっている。
【００１２】
このガイド部材（凸部）１６は、通常時間に耐えるバッテリーパック１１の場合は、挿入ガイドすることに加えて、例えば図３においてＡ方向へ落下した時にバッテリーパック挿入孔１４の上部空間にバッテリーパック１１が動かないようにプロテクトする役目もある。
【００１３】
又、このガイド部材（凸部）１６は、長時間に耐えるバッテリーパック１２の場合は、係合部材（凹部）１５にガイド部材（凸部）１６を雌雄の関係で嵌合させて装着する。
【００１４】
【発明が解決しようとする課題】
しかしながら、上記説明した従来技術における形状の異なるバッテリーパック、例えば２種類の形状・大きさの異なった複数種のバッテリーパックを挿入して装着できるようにしたバッテリーパック挿入孔には、その内壁面に突出したガイド部材（凸部）を設ける必要があり、そのため、少なくとも挿入孔の大きさからなるバッテリーパックの側壁面には、ガイド部材（凸部）に雌雄の関係で嵌合する係合部材（凹部）を設ける必要がある。
この係合部材（凹部）は、下ケースと上ケースの間に中間ケースを設け、この中間ケースに設けるという構造を複雑にするばかりでなく、その組み立ても複雑になるという問題点がある。
【００１５】
従って、形状・大きさの異なる複数種のバッテリーパックにおいて、統一した位置に係合部材を設け、且つバッテリーパック自体の組み立て工程を簡略化することに解決しなければならない課題を有している。
【００１６】
【課題を解決するための手段】
上記課題を解決するために、本発明に係るバッテリーパック誤挿入防止装置は、機器側に設けたバッテリーパック挿入孔に挿入・装着でき、且つバッテリーセルが収納されるバッテリーパックのバッテリーパック誤挿入防止装置であって、該バッテリーパックは、形状・大きさの異なる複数種が存在して、それぞれが個々に前記バッテリーパック挿入孔に挿入・装着できるものであり、各バッテリーパックは、その一部に共通した係合部材が設けられ、前記バッテリーパック挿入孔には前記係合部材と雌雄の関係で係合するガイド部材を設けたバッテリーパック誤挿入防止装置において、前記各バッテリーパックは直方体形状の上ケースと、下ケースとを有し、前記上ケースの下部端の両側部には外側に突出させて所定幅の係合部材が設けられ、前記下ケースは開口した開口端部周囲が前記係合部材と位置合わせできる大きさに形成され、前記下ケースに上ケースを被せるとともに、前記係合部材を前記下ケースの開口端部に合わせ、合わせ目に超音波溶着して組み立てたことである。
【００１７】
バッテリーパックは、機器側に設けたバッテリーパック挿入孔のガイド部材に雌雄の関係で係合する係合部材が設けられ、バッテリーセルが収納されるバッテリーパックにおいて、前記バッテリーパックは直方体形状の上ケースと、下ケースとを有し、前記上ケースの下端部の両側部には外側に突出させて所定幅の係合部材が設けられ、前記下ケースは開口した開口端部周囲が前記係合部材と位置合わせできる大きさに形成され、前記下ケースに上ケースを被せるとともに、前記係合部材を前記下ケースの開口端部に合わせ、合わせ目に超音波溶着して組み立てることである。
【００１８】
このように形状・大きさの異なる複数種のバッテリーパックの共通する位置に係合部材を設け、この係合部材に雌雄の関係で係合するガイド部材をバッテリーパック挿入孔側に設けたことにより、バッテリーパックの形状・大きさに左右されることなく誤挿入防止機構を共通化することができると共に、誤挿入防止部材を設ける位置を予め決めることができるため、バッテリーパックの組み立てやバッテリーパック自体の構造を簡略化できる。
【００１９】
【発明の実施の形態】
次に、本発明に係るバッテリーパック誤挿入防止装置の実施の形態について、図面を参照して説明する。
【００２０】
バッテリーパック誤挿入防止装置は、図１に示すように、ビデオカメラ等の電子機器３０の一部に設けられ、形状・大きさの異なる複数種のバッテリーパックを挿入・装着できるバッテリーパック挿入孔３１と、複数本のセル３２を内蔵した形状・大きさの異なる複数種のバッテリーパック３３、３４とから構成されている。
【００２１】
複数種のバッテリーパックは、通常の電子機器の駆動操作に耐える２本のセル３２（バッテリー）を搭載したバッテリーパック３３と、電子機器３０の長時間の駆動操作に耐える４本のセル３２を搭載したバッテリーパック３４の２種類が存在する。
尚、これらに限定されることなく、例えば、６本のセルを搭載したバッテリーパックでもよいことは勿論のことである。
【００２２】
通常時間の使用に耐えるバッテリーパック３３は、図１に示すように、２本のセル３２を収納できる大きさからなる直方体形状の上ケース３５と下ケース３６とから構成されている。
【００２３】
この上ケース３５の頂面には、長手方向の片側中央位置に所定幅の逆挿入プロテクト溝３７と、下部端部周囲には側壁面より外側に突出させた所定幅の係合部材（凸部）３８を設けた構造となっている。
【００２４】
下ケース３６は、開口した開口端部周囲が係合部材（凸部）３８と位置合わせできる大きさに形成し、その内部に図示しないセル位置決め部を設けた構造となっている。
【００２５】
このような構造からなるバッテリーパック３３は、下ケース３６に２本のセル３２を載せ、その上部から上ケース３５を被せると共に係合部材（凸部）３８を下ケース３６の開口端部に合わせ、合わせ目に超音波溶着して組み立てが完了する。
【００２６】
このようにして組み立てられたバッテリーパック３３は、バッテリー挿入孔３１に挿入して装着する際に、係合部材（凸部）３８をバッテリー挿入孔３１のガイド部材（凹部）３９に雌雄の関係で係合させて装着すればよい。装着されたバッテリーパック３３は、バッテリー挿入孔３１の上部に空間が生じていてもガイド部材（凹部）３９でガイドされているため、例え矢印Ａ方向の衝撃等が加わってもこのガイド部材（凹部）３９に雌雄の関係で係合している係合部材（凸部）３８によりバッテリーパック３３の上方向（Ａ方向）への動きがプロテクトされる。
【００２７】
一方、長時間の使用に耐えるバッテリーパック３４は、図１及び図２に示すように、バッテリーパック挿入孔３１の大きさに形成され、４本のセルを収納できる空間を有する直方体形状の上ケース４０と下ケース４１とから構成されている。
【００２８】
上ケース４０は、その開口端部周囲から外側に突出させた係合部材（凸部）４２を設け、且つその頂面には、短手方向の一方側中央位置に所定幅の逆挿入プロテクト溝４３を設けた構造となっている。
【００２９】
下ケース４１は上述した通常の使用に耐えるバッテリーパック３３（図１参照）の下ケース３６と同様であり、開口端部に上ケース４０の係合部材（凸部）４２を合わせ、底部の内側面には長手方向に沿った中間位置に帯状に突出したセル位置決め部４４（図２参照）を設けた構造となっている。
【００３０】
このような構造からなるバッテリーパック３４を組み立てるには、先ず下ケース４１に４本のセル３２を同時に載せ、上ケース４０を被せて係合部材（凸部）４２と下ケース４１の開口端部４５とを位置合わせして接合し、接合した部分を超音波により溶着すれば組み立ては完了する。このようにして、バッテリーパック挿入孔３１の大きさに形成されたバッテリーパック３４の場合でも従来技術で説明したような側壁面に係合部材１５（図３参照）を設ける必要がないため中間ケース２１（図３参照）を必要としないで上ケース４０の大きさを４本のセル３２が入れる大きさに形成すればよい。尚、電子機器と接続して電源を供給する端子等は省略してある。このようにして組み立てられたバッテリーパック３４は、バッテリーパック挿入孔３１に挿入して装着する際に、ガイド部材（凹部）３９に係合部材（凸部）４２を雌雄の関係で係合させて装着すればよい。
【００３１】
一方、電子機器３０に設けてあるバッテリーパック挿入孔３１は、図１に示すように、長時間の使用に耐えることができるバッテリーパック３４を収納できる大きさに形成され、左右の下端部の長手方向に沿った溝、即ち、ガイド部材（凹部）３９を設けた構造となっている。
【００３２】
このガイド部材（凹部）３９は、形状・大きさの異なる複数種のバッテリーパック（実施例において３３、３４）を挿入する際に、バッテリーパック３３、３４の係合部材（凸部）３８、４２と雌雄の関係で係合する共通の位置関係にある。
【００３３】
このように、バッテリーパック挿入孔３１に挿入装着する際の係合部材（凸部）３８、４２をバッテリーパック３３、３４の下端部の位置に設けた構造にすると、例え形状・大きさの異なったバッテリーパックであっても、係合部材（凸部）を統一した共通位置に設けることができるため、構造及び構成を簡略化しても、挿入する際のガイドと電子機器に加わる外力によるプロテクトが行えるのである。
【００３４】
尚、実施の形態において、バッテリーパック３３、３４の下部両端に設けた係合部材（凸部）３８、４２の形状は左右対称形状であるが、左右非対称形状にしてもよい。この場合は誤挿入方向が一層明確に判別できるようになる。
【００３５】
【発明の効果】
上記説明したように本願発明に係るバッテリーパック誤挿入防止装置は、バッテリーパックの下端部に係合部材（凸部）を設け、バッテリーパック挿入孔に、この凸部と雌雄の関係で係合するガイド部材（凹部）を設けた構造にすることで、形状・大きさの異なる複数種のバッテリーパックであっても統一した位置に係合部材を設けることができ、その分構造を簡略化できるという効果がある。
【００３６】
又、バッテリーパック挿入孔の大きさに合ったバッテリーパックの場合は、ガイド部材を別途設ける必要がなくなり、構造を簡単にして、且つ組み立て工程を簡略化できるという効果もある。
【図面の簡単な説明】
【図１】本発明に係るバッテリーパック誤挿入防止装置の概略的な説明図である。
【図２】同バッテリーパック挿入孔の大きさに合ったバッテリーパックの構成を示した略示的な斜視図である。
【図３】従来技術におけるバッテリーパック誤挿入防止装置の概略的な説明図である。
【図４】従来技術におけるバッテリーパック挿入孔の大きさに合ったバッテリーパックの構成を示した略示的な斜視図である。
【符号の説明】
３０；電子機器、３１；バッテリーパック挿入孔、３２；セル、３３；バッテリーパック、３４；バッテリーパック、３５；上ケース、３６；下ケース、３７；逆挿入プロテクト溝、３８；係合部材（凸部）、３９；ガイド部材（凹部）、４０；上ケース、４１；下ケース、４２；係合部材（凸部）、４３；逆挿入プロテクト溝、４４；セル位置決め部、４５；開口端部
【図１】
0003991174.tif 000002
【図２】
0003991174.tif 000003
【図３】
0003991174.tif 000004
【図４】
0003991174.tif 000005